(57)【特許請求の範囲】
【請求項１】
膝を保護する強度と保形性を備えたカップ部と、該カップ部を膝に装着するための締め紐などの係止手段と、カップ部の内面に配置するクッション性を備え、膝全体を覆う大きさのパッド部で構成し、該パッド部は上下二分割とし、上パッド部を膝頭部分よりも上部を覆う細幅とし、下パッド部を膝頭部分の表面を覆う広幅に形成し、上パッド部を前記カップ部に固定するとともに、上パッド部と下パッド部を伸縮性連結部材で連結したことを特徴とする膝用プロテクタ。
【請求項２】
カップ部の内面に配置する二分割されたパッド部は、上パッド部と下パッド部を左右両端部で連結するとともに、中央部において伸縮性連結部材で連結したことを特徴とする請求項１記載の膝用プロテクタ。
【発明の詳細な説明】
【技術分野】
【０００１】
この発明は、主としてタイル工事、内装床貼り、内装清掃作業及び農作業などに際して膝をついて作業を行う場合に使用する膝用プロテクタに関する発明である。
【背景技術】
【０００２】
主としてタイル工事、内装床貼り、内装清掃作業及び農作業を行う作業に際し、膝をついて作業を行う場合が少なくない。このような場合に、膝を守るとともに着衣の破損を防止するなどのために、各種の膝用プロテクタが提案されている。例えば、特許文献１には、クッション材を縫い付けた布製の筒状に形成し、膝部分に装着する膝当て具が、特許文献２には、適宜形状に形成したクッション性シート材を、面ファスナーを利用して着脱自在とする膝当ての発明が開示されている。
また、特許文献３には、上下の二箇所に設けたバンドによって膝に装着する膝当クッション材の上端中央に連結部を設け、この連結部に薄板状弾性材の一端を連結するとともに該薄板状弾性材の巻き取り収納ケースを腰のバンド６に固定し、常時クッション性シート材を上方に引き上げる力を作用させる発明が開示されている。
【特許文献１】実用新案登録第３１０９４６２号公報
【特許文献２】特開平１０―４６４１１号公報
【特許文献３】特開２００７―１１３１２７号公報
【発明の開示】
【発明が解決しようとする課題】
【０００３】
特許文献１や２に開示されているような、従来の膝用プロテクタでは、作業中に位置ずれを起こすことが多い。特に、歩行や膝の曲げ伸ばしによってプロテクタが上下にずれることが多く、頻繁に位置を直しながら作業を進める必要があった。また、特許文献３に開示されるように、常時プロテクタを上方に引き上げる薄板状弾性材を設けるものでは、薄板状弾性材そのものが作業の邪魔になるとともに、姿勢によって薄板状弾性材の引き上げ力が変化する他、プロテクタが上方に引き上げられてしまい所定の位置を維持することができない欠点があった。
【０００４】
上記、従来技術の欠点に鑑み本発明は、作業のために膝をつく姿勢や立ち上がりを頻繁に繰り返す場合や、装着した状態で歩行しても位置ずれを生じにくい膝用プロテクタを実現することを目的とするものである。
【課題を解決するための手段】
【０００５】
上記目的を達成するため、請求項1記載の発明は、膝用プロテクタを、膝を保護する強度と保形性を備えたカップ部１と、該カップ部１を膝に装着するための締め紐３などの係止手段と、カップ部１の内面に配置するクッション性を備え、膝全体を覆う大きさのパッド部２で構成する。パッド部は上下二分割とし、上パッド部2aを前記カップ部２に固定するとともに、上パッド部2aと下パッド部2bを伸縮性連結部材４で連結する。
【０００６】
さらに、カップ部１の内面に配置する二分割されたパッド部２は、上パッド部2aを膝頭部分よりも上部を覆う細幅とし、下パッド部2bを膝頭部分の表面を覆う広幅に形成する。
【０００７】
請求項２記載の発明は、前記請求項１記載の発明において、カップ部１の内面に配置する二分割されたパッド部２は、上パッド部2aと下パッド部2b を左右両端部で連結するとともに、中央部において伸縮性連結部材４で連結することである。
【発明の効果】
【０００８】
請求項1記載の本発明によれば、膝部分を保護するカップ部１を係止手段によって所定位置に係止させる。その状態で膝をつく姿勢から立ち上がる動作を繰り返す他、歩行の場合に膝の表面は上下方向に伸縮を繰り返す。このとき、膝表面の伸縮に対応してパッド部２の上パッド部2aと下パッド部2bが別個に移動する。具体的には係止手段によって係止されている上パッド部2aは膝上部の定位置に装着された状態で安定し、膝表面の伸縮に従って下パッド部2bが上下動をし、伸縮性連結部材４によって元の位置に復帰する。このようにして、各種動作による膝表面の伸縮を下パッド部2bの上下動によって吸収し、膝用プロテクタ全体の移動が防止される。
【０００９】
さらに、各種動作によって膝を伸縮させる場合、膝のほぼ中心に位置する膝頭部分の表面の伸縮が大きい。したがって、膝表面の大きく伸縮する膝頭部分の表面を、上パッド部2aに対して自由に上下方向に移動する下パッド部2bによって覆う。そのため、係止具によって定位置に係止されているカップ部１及び上パッド部2aに対して上下方向の力が作用せず、膝プロテクタをより安定させることができる。
【００１０】
請求項２記載の発明によれば、請求項１に記載の発明を実施する上において、膝表面の伸縮にともなって下パッド2bが上下に移動する際、上パッド2aと下パッド2bの左右両端部が連結されているため、中央部のみが上下に移動する。すなわち、上パッド2aと下パッド2bは両端を支点としてパクパクと口を開けるように動く。この動きは、膝関節の回動運動と一致するため、膝の自然な動きを実現するとともに、上パッド2aと下パッド2bの正常な位置関係を維持し、快適な装着状態を実現する効果がある。
【発明を実施するための最良の形態】
【００１１】
以下、本発明に係る膝用プロテクタの好ましい実施形態を添付の図面に基いて説明する。図１は斜視図、図２は正面図、図３は図２のIII−III線断面図、図４はパッド部のみの展開図である。
【００１２】
図１、図２に示す実施形態の膝用プロテクタは、膝を保護する強度と保形性を備えたカップ部１と、カップ部１を膝に装着するための締め紐３と、カップ部１の内面に配置するクッション性を備え、膝全体を覆う大きさのパッド部２で構成している。カップ部１は、合成樹脂材で、例えば球面あるいは椀形状であって、膝頭部分が自然に入り込むような形状に成形する。そして、膝をついたときに接地する中央部に、一段と高い接地部５を形成している。この接地部５は、図２に示す正面図において横長の楕円形に現れている。
【００１３】
カップ部１の内面には、クッション性を備え膝全体を覆う大きさのパッド部２を配置している。パッド部２は、膝を保護するクッション性と外表面の強度を維持するものが好ましく、例えば図３に示すように、発泡材６の表面に合成樹脂製シート材７を貼着した積層材を使用する。パッド部２の外周は、縁テープ８を縫着してある。
【００１４】
カップ部１の内面に配置するパッド部２は上下二分割とし、上パッド部2aをカップ部１に固定するとともに、上パッド部2aと下パッド部2bを伸縮性連結部材４で連結している。カップ部１と上パッド部2aを固定するには、左右両側と上部の三箇所を鋲９によって固定している。このとき、左右両側を固定するに際して、締め紐３の右片3a及び左片3bの端部をそれぞれ鋲によって固定することによって、カップ部１に締め紐３を取り付けるようにしている。
【００１５】
締め紐３の構造は、膝部分に着脱自在に取り付けることができるものであればどのような係止手段であってもよい。図示実施形態においては、締め紐３として扁平な伸縮性ベルトを利用し、長寸法の右片3aの先端に係止具の雄片10を、短寸法の左片3bの先端に係止具の雌片11を取り付けることによって、ワンタッチで容易に着脱することができるようにしている。
上記構成によって、カップ部１を膝の正面に位置させ、長寸法の右片3aを膝の裏側に巻回させて先端の雄片10を左片3bの先端に取り付けた雌片11に係止させることによって容易に着脱することができる。このとき、係止手段である締め紐３は、図５に示すように、膝の曲げ伸ばしに影響されにくい、膝の直上部分において締め紐３によって締め付け固定する。
【００１６】
上パッド部2aと下パッド部2bは、伸縮性連結部材４で連結する。上パッド部2aと下パッド部2bを連結する伸縮性連結部材４は、例えばバランスの取れる複数位置というように、どの位置で連結するものであってもよい。しかしながら、図示実施形態では、上パッド2aと下パッド2bは、左右両端部において縁テープ８を利用して連結するとともに、中央部の一箇所においてのみ広幅の伸縮性連結部材４で連結している。伸縮性連結部材４を広幅とすることによって、捩れ力が発生するようなことがなく、安定する。
【００１７】
膝の曲げ伸ばしによって大きく伸縮するのは、膝の中央部分であることから、図示例のように上パッド部2aと下パッド部2bの両端部が連結され、中央部において伸縮性連結部材４によって連結することによって、上パッド部2aと下パッド部2bはより自然な状態で接離を繰り返す。すなわち、カップ部１及び上パッド部2aは膝の定位置に安定的に装着された状態で、膝の曲げ伸ばしによって下パッド2bが上下に移動する。したがって、しゃがみ込みと立ち上がり、あるいは歩行による膝の屈伸が繰り返されても、プロテクタは位置ずれを生じることがなく、安心して使用することができる。
【００１８】
バッド部２は、上パッド部2aと下パッド部2bに分割する。二分割の分割形状は、図４の展開図に示すように下パッド部2bの中央部を山形に上方に膨らむ大きな広幅形状とし、上パッド部2aを細幅に形成している。この形状とすることによって、膝の膝頭部分のほぼ全体を下パッド部2bによって覆うことができる。この形状とすることによって、図６に示すように、膝の屈伸によって伸縮をする膝頭を中心とする部分全体を下パッド部2bによって覆うことができる。
【００１９】
すなわち、膝用プロテクタを装着した立位状態では、図６に示すように膝頭部分を下パッド2bによって覆い、伸縮性連結部材４は縮んだ状態である。図６に示す状態から、歩行などのために膝が曲げられると、図７に示すように膝頭部分の表面が矢印で示すように下方に移動する。それにともなって、下パッド部2bも下方に移動し、伸縮性連結部材４は伸びた状態となる。膝を伸ばすと、伸縮性連結部材４によって下パッド2bは引き上げられ、図６に示す元の位置に復帰する。
【００２０】
以上述べた、本発明に係る図示実施形態の膝用プロテクタを装着して、タイル工事、内装床貼り、内装清掃作業及び農作業などを行うに際し、膝をついて作業を行う場合は、カップ部１の接地部５が地面についた状態となり、カップ部１及びパッド部２を介して膝をつくことになり、膝をしっかりとガードする。そして、立ち上がって移動する場合など膝の曲げ伸ばしを伴う動作によってもカップ部１やパッド部２が膝に対して移動することがなく、常に同じ装着状態を維持し、作業を繰り返し行うことができる。
【図面の簡単な説明】
【００２１】
【図１】図１は、膝用プロテクタ全体の斜視図、
【図２】図２は、正面図、
【図３】図３は、図２のIII−III線断面図、
【図４】図４は、パッド部のみの展開図、
【図５】図５は、膝用プロテクタを装着した状態の側面図、
【図６】図６は、図５に示す膝用プロテクタを装着した立位状態の縦断面図、
【図７】図７は、図６に示す膝用プロテクタを装着した立位状態から膝を曲げた状態の縦断面図。
【符号の説明】
【００２２】
１…カップ部、  ２…パッド部、  2a…上パッド部、  2b…下パッド部、  ３…締め紐、  3a…右片、  3b…左片、  ４…伸縮性連結部材、  ５…接地部、  ６…発泡材、  ７…合成樹脂製シート材、  ８…縁テープ、  ９…鋲、  10…雄片、  11…雌片。
【図１】
0005006132.tif 000002
【図２】
0005006132.tif 000003
【図３】
0005006132.tif 000004
【図４】
0005006132.tif 000005
【図５】
0005006132.tif 000006
【図６】
0005006132.tif 000007
【図７】
0005006132.tif 000008